(57)【要約】      （修正有）【課題】ゴルフボールとスタンスの間に敷設して使用することができ、ゴルフクラブが当たってずれたりする虞がなく、載置されたゴルフボールに対して、好適なスタンス位置を表示でき、打球方向を容易かつ的確に把握できるゴルフ練習用シートを提供する。【解決手段】載置されたゴルフボールとスタンスの間に敷設して使用するゴルフ練習用シート１０であって、地面形状に合わせて可撓できるシート材で形成され、打球方向を指示する方向指示線２１，２２を並行して２本設けると共に、前記方向指示線２１，２２と直交して、前記ゴルフボールに対してスタンス位置を決めるスタンス位置決め線２５を設け、前記スタンス位置決め線２５は、その両端を前記方向指示線２１，２２より延出させる（１６，１７）と共に、前記スタンス位置決め線２５の打球方向前方に前記方向指示線２１，２２と直交する方向確認補助線２３を設けてなることを特徴とする。【選択図】図１
0003203865.tif 000002
【実用新案登録請求の範囲】
【請求項１】
載置されたゴルフボールとスタンスをとる両足の間に敷設して使用するゴルフ練習用シートであって、
敷設する地面の形状に合わせて撓むことができる可撓性シート材で形成され、
打球方向を指示する方向指示線を並行して２本設けると共に、前記方向指示線と直交して、前記載置されたゴルフボールに対してスタンスをとる前方の足の位置を決めるスタンス位置決め線を設け、
前記スタンス位置決め線は、その両端を前記方向指示線より延出させると共に、前記スタンス位置決め線の打球方向前方に前記方向指示線と直交する方向確認補助線を設けてなることを特徴とするゴルフ練習用シート。
【請求項２】
前記スタンス位置決め線の両端を先鋭状に形成してなるることを特徴とする請求項１に記載のゴルフ練習用シート。
【請求項３】
帯状のシート材を長方形状の枠状に形成し、対向する長辺に前記方向指示線を形成すると共に、前記対向する長辺間に直交するように帯状のシート材を形成し、その上面に前記スタンス位置決め線を形成し、前記スタンス位置決め線の両端は前記方向指示線より延出させ、前記延出させた端部を三角形状に形成させてなることを特徴とする請求項１又は２に記載のゴルフ練習用シート。
【考案の詳細な説明】
【技術分野】
【０００１】
本考案は、ゴルフのスイングやパッティングストロークの練習をする場合に、ゴルファーとゴルフボールとの間に敷設して、打球方向とスタンス位置の関係を的確に表示して、打球方向に応じたゴルフスイングやパッティングストロークを習得することのできるゴルフ練習用シートに関するものである。
【背景技術】
【０００２】
従来、ゴルフ練習用シートとしては、例えば、特開２００３−１９９８５８号（特許文献１）や特開２００６−２９６５０８号（特許文献２）に記載のものが公知である。前記特許公報１に記載のゴルフ練習用シートは、自己のゴルフにおけるパッティングストロークやゲートボールのストロークを目視確認しながら矯正し、練習することのできるように、シート部材にボールの打出し線と平行方向および直交方向にそれぞれ複数本の目標ラインが形成されており、前記シート部材には前記打出し線と平行なボール打出し用切欠きが形成されている。
【０００３】
また、特許公報２に記載のゴルフ練習用シートは、クラブヘッドのスイートスポットが所定の軌跡（目標直線）描くようにスイングの練習するのに適したゴルフ練習用マット、クラブセットであって、基体上に貼りつけられた芝の表面から直線帯状で断面がコ字型の溝を形成し、溝の底部に帯状の電界発光素子を貼り付け、基材に取付けた電源で電界発光素子を発光させ目標直線を表示するものであり、前記ゴルフ練習用マット・クラブセットは、上記のゴルフ練習用マットと、ゴルフクラブの上面で、フェイスのスイートスポットを通る目標直線上に蓄光材を着脱自在に装着したクラブとからなり、いずれも発光する目標直線と蓄光材の軌跡を同時に視認しながら練習することができるものである。
【先行技術文献】
【特許文献】
【０００４】
【特許文献１】特開２００３−１９９８５８号公報  第1頁  図２
【特許文献２】特開２００６−２９６５０８号公報  第1頁  図３
【考案の概要】
【考案が解決しようとする課題】
【０００５】
しかしながら、前記ゴルフ練習用シートは、いずれも、ゴルフボールを前記ゴルフ練習用シート自体の上に載置して練習するものであり、実際にストロークすると前記ゴルフ練習用シートにゴルフクラブが当たったり、前記ゴルフ練習用シートがずれたりする虞がありる。また、載置されたゴルフボールに対して、どのようなスタンスを取ると良いかの目安もない。
【０００６】
本考案は、かかる点に鑑みてなされたものであり、その目的とするところは、載置されたゴルフボールとスタンスをとる両足の間に敷設して使用することができ、前記ゴルフ練習用シートにゴルフクラブが当たったり、前記ゴルフ練習用シートがずれたりする虞がなく、載置されたゴルフボールに対して、好適なスタンス位置の表示を有し、打球方向を容易かつ的確に把握することのできるゴルフ練習用シートを提供することにある。
【課題を解決するための手段】
【０００７】
請求項１に記載のゴルフ練習用シートは、載置されたゴルフボールとスタンスをとる両足の間に敷設して使用するゴルフ練習用シートであって、敷設する地面の形状に合わせて撓むことができる可撓性シート材で形成され、打球方向を指示する方向指示線を並行して２本設けると共に、前記方向指示線と直交して、前記載置されたゴルフボールに対してスタンスをとる前方の足の位置を決めるスタンス位置決め線を設け、前記スタンス位置決め線は、その両端を前記方向指示線より延出させると共に、前記スタンス位置決め線の打球方向前方に前記方向指示線と直交する方向確認補助線を設けてなることを特徴とする。
【０００８】
請求項１に記載のゴルフ練習用シートにあっては、載置されたゴルフボールとスタンスをとる両足の間に敷設して使用するゴルフ練習用シートであって、敷設する地面の形状に合わせて撓むことができる可撓性シート材で形成され、打球方向を指示する方向指示線を並行して２本設けると共に、前記方向指示線と直交して、前記載置されたゴルフボールに対してスタンスをとる前方の足の位置を決めるスタンス位置決め線を設け、前記スタンス位置決め線は、その両端を前記方向指示線より延出させると共に、前記スタンス位置決め線の打球方向前方に前記方向指示線と直交する方向確認補助線を設けているので、載置されたゴルフボールとスタンスを取る両足との間に敷設され、その間に表示された並行する２本の方向指示線と、これと直交する前記スタンス位置決め線及び前方向確認補助線とにより形成される長方形状図形により、打球方向を確実に把握できると共に、前記載置されたゴルフボールに対して、スタンスをとる前方の足の位置を容易に定めることができ、載置されたゴルフボールに対して、好適なスタンス位置を取れるとともに、打球方向を容易かつ的確に把握することができる。
【０００９】
請求項２に記載のゴルフ練習用シートは、請求項１に記載のゴルフ練習用シートにおいて、前記スタンス位置決め線の両端を先鋭状に形成してなるることを特徴とする。
【００１０】
請求項２に記載のゴルフ練習用シートにあっては、請求項１に記載のゴルフ練習用シートに加えて、前記載置されたゴルフボールに対して、好適なスタンス位置を容易に取るとることができる。
【００１１】
請求項３に記載のゴルフ練習用シートは、請求項１又は２に記載のゴルフ練習用シートにおいて、帯状のシート材を長方形状の枠状に形成し、対向する長辺に前記方向指示線を形成すると共に、前記対向する長辺間に直交するように帯状のシート材を形成し、その上面に前記スタンス位置決め線を形成し、前記スタンス位置決め線の両端は前記方向指示線より延出させ、前記延出させた端部を三角形状に形成させてなることを特徴とする。
【００１２】
請求項３に記載のゴルフ練習用シートにあっては、請求項１又は２に記載のゴルフ練習用シートに加えて、前記方向指示線、前記スタンス位置決め線及び 前記方向確認補助線を帯状に形成されたシート材の上に形成されているので、全部を一枚のシート材で形成する場合よりも、地面への設置面積が少なく、地面の凹凸に合わせて追随し易くなると共に、材料費を軽減することができる。
【考案の効果】
【００１３】
請求項１に記載のゴルフ練習用シートによれば、載置されたゴルフボールとスタンスをとる両足の間に敷設して使用するゴルフ練習用シートであって、敷設する地面の形状に合わせて撓むことができる可撓性シート材で形成され、打球方向を指示する方向指示線を並行して２本設けると共に、前記方向指示線と直交して、前記載置されたゴルフボールに対してスタンスをとる前方の足の位置を決めるスタンス位置決め線を設け、前記スタンス位置決め線は、その両端を前記方向指示線より延出させると共に、前記スタンス位置決め線の打球方向前方に前記方向指示線と直交する方向確認補助線を設けているので、載置されたゴルフボールとスタンスを取る両足との間に敷設され、その間に表示された並行する２本の方向指示線と、これと直交する前記スタンス位置決め線及び前方向確認補助線とにより形成される長方形状図形により、打球方向を確実に把握できると共に、前記載置されたゴルフボールに対して、スタンスをとる前方の足の位置を容易に定めることができ、載置されたゴルフボールに対して、好適なスタンス位置を取れるとともに、打球方向を容易かつ的確に把握することができる。
【００１４】
請求項２に記載のゴルフ練習用シートによれば、請求項１に記載のゴルフ練習用シートに加えて、前記スタンス位置決め線の両端を先鋭状に形成しているので、前記載置されたゴルフボールに対して、好適なスタンス位置を容易に取るとることができる。
【００１５】
請求項３に記載のゴルフ練習用シートによれば、請求項１又は２に記載のゴルフ練習用シートに加えて、帯状のシート材を長方形状の枠状に形成し、対向する長辺に前記方向指示線を形成すると共に、前記対向する長辺間に直交するように帯状のシート材を形成し、その上面に前記スタンス位置決め線を形成し、前記スタンス位置決め線の両端は前記方向指示線より延出させ、前記延出させた端部を三角形状に形成しているので、前記方向指示線、前記スタンス位置決め線及び前記方向確認補助線を帯状に形成されたシート材の上に形成されているので、全部を一枚のシート材で形成する場合よりも、地面への設置面積が少なく、地面の凹凸に合わせて追随し易くなると共に、材料費を軽減することができる。
【図面の簡単な説明】
【００１６】
【図１】本考案に係るゴルフ練習用シートを示す正面図である。
【図２】同ゴルフ練習用シートを示す裏面図である。
【図３】（ａ）は平面図であり、（ｂ）はＡ−Ａ線断面図である。
【図４】右側面図である。
【図５】ゴルフ練習用シートの使用方法を示す概略図である。
【図６】ゴルフ練習用シートの使用状態を示す概略図である。
【考案を実施するための最良の形態】
【００１７】
以下、本考案を実施するための最良の形態を図面に基づいて具体的に説明する。
【００１８】
図１は本考案にかかるゴルフ練習用シートの正面図であり、図２は同ゴルフ練習用シートを示す裏面図であり、図３（ａ）は平面図であり、（ｂ）はＡ−Ａ線断面図であり、図４は右側面図である。
【００１９】
図１乃至図４において、ゴルフ練習用シート１０は、シリコン樹脂等の合成樹脂や天然ゴム等の可撓性を備える素材により成型される長尺の帯状シート１１，１２と短尺の帯状シート１３，１４とを概略長方形状に形成し、さらに対向する前記長尺帯状シート１１，１２の中央より前方（図１及び図５における右側）に偏った箇所に、前記長尺の帯状シート１１，１２と直交するように短尺帯状シート１５を架設し、さらに前記短尺帯状シート１５は前記長尺帯状シート１１，１２のさらに外方に三角形状の先鋭状の突出辺１６，１７を形成している。
【００２０】
そして、前記長尺帯状シート１１，１２の上面の幅方向中央には、それぞれ、ゴルフボールＧＢを打ち込む際にその打球方向を示す方向指示線２１，２２を太く明瞭に設ける。また、前方の前記短尺帯状シート１３の上面の幅方向中央には、ゴルフボールＧＢを打ち込む際にその打球方向を示す方向確認補助線２３を太く明瞭に設けると共に、後方の前記短尺帯状シート１４の上面の幅方向中央には、スタンスを取る場合の右足の位置を定める目安となるスタンス目役線２４を太く明瞭に設ける。さらに、前記短尺帯状シート１５及び前記突出辺１６，１７の上面の幅方向中央には、載置された前記ゴルフボールＧＢとスタンスを取る場合の左足の位置決めの目安となるスタンス位置決め線２５を太く明瞭に設けるのである。
【００２１】
前記ゴルフ練習用シート１０は、前記ゴルフボールＧＢとスタンスを取る両足の間に敷設して使用するため、その寸法はある程度制限される。例えば、一般的なプレイヤーＰが一番ウッドを使用する場合は、前記ゴルフボールと前記両足の距離は５００ｍｍ乃至６００ｍｍ程度であり、一方、前記プレイヤーＰが前記ゴルフボールＧＢを集中してみる場合の視界広さを考慮すると、前記ゴルフ練習用シート１０の２本の方向指示線２１，２２は、１５０ｍｍ乃至２５０ｍｍ程度の幅で形成されると好適である。
【００２２】
そして、載置された前記ゴルフボールＧＢに対して好適なスタンス位置を取るための前記スタンス位置決め線２５は、前記ゴルフボールと前記両足の距離（図５の矢示Ｙ）を考慮すると、２８０ｍｍから３３０ｍｍが好適であり、前記スタンス位置決め線２５の両端部を前記方向指示線２１，２２から延出させた前記突出辺１６，１７の底辺は５０ｍｍ程度で、またその突出長さは４０ｍｍ程度が好適なサイズである。
【００２３】
また、前記スタンス位置決め線２５と前記方向確認補助線２３との距離は、前記プレイヤーＰが前記ゴルフボールＧＢを集中してみる場合の視界広さを考慮すると、２５０ｍｍ程度が好適な距離である。一方、右足の位置を定める目安となる前記スタンス目安線２４は、一般的なプレイヤーＰのスタンス幅がおおよそ５００ｍｍ程度であることを考慮すると、前記スタンス目安線２４と前記スタンス位置決め線２５との距離はおおよそ５００ｍｍ程度が好適な距離である。
【００２４】
図５は、ゴルフ練習用シートの使用方法を示す概略図であり、図６はゴルフ練習用シートの使用状態を示す概略図である。
【００２５】
以上のように構成する前記ゴルフ練習用シート１０を使用するには、例えば、図５及び図６に示すように行うと良い。なお、図５中、矢示ＳＤは打球方向を示す。
【００２６】
先ず、載置された前記ゴルフボールＧＢから、所定間隔Ｘを隔てて前記ゴルフ練習用シート１０の前記突出辺１６を、前記ゴルフボールＧＢと符合するようにを敷設する。前記所定間隔は、前記プレイヤーＰによっては多少相違するが、５０ｍｍ〜１００ｍｍ程度が目安となる。
【００２７】
そして、前記ゴルフ練習用シート１０の前記方向指示線２１を、前記打球方向ＳＤと並行になるよう、また、前記打球方向ＳＤに対して前記スタンス位置決め線２５と前記方向確認補助線２３とが直交するように、前記ゴルフ練習用シート１０の位置を調整するのである。
【００２８】
次に、前記スタンス位置決め線２５の仮想延長戦上に、前記プレイヤーＰの左足ＬＦを合わせて左足ＬＦの位置を決める。そして、位置決めされた前記左足ＬＦに対して、右足ＲＦの位置を決めるのである。この場合は、使用するクラブの番手や、そのホールの状況に応じて、Ａ〜Ｄのように足幅を調整して、また、前記スタンス目役線２４を参照しつつ、前記スタンス幅を決定すると良い。
【００２９】
上記のように、前記ゴルフ練習用シート１０を、載置された前記ゴルフボールＧＢとスタンス間に敷設すると、前記プレイヤーＰが前記ゴルフボールＧＢをショットする場合、前記ゴルフボールＧＢとスタンス間の前方であって、やや前記ゴルフボールＧＢ側に偏った位置に前記方向指示線２１，２２と前記スタンス位置決め線２５と前記方向確認補助線２３とによって形成された長方形の図形が視認される。この長方形は前記プレイヤーＰが前記ゴルフボールＧＢを集中してみる場合に視認できる最大又はそれに近いの大きさのものであり、その、長辺に当たる前記方向指示線２１，２２により、打球方向を確認できると共に、前記方向指示線２１，２２と直交する前記スタンス位置決め線２５と前記方向確認補助線２３とにより、さらに確実に打球方向を確認することができ、容易かつ的確に打球方向を把握することができることとなる。
【００３０】
また、前記スタンス位置決め線２５の両端を先鋭状に形成して前記突出辺１６，１７を形成しているので、前記プレイヤーＰは、先鋭状の先端部を目印に前記ゴルフ練習用シート１０をを敷設することができ、また、前記スタンスの位置を決めることができるので、前記載置されたゴルフボールＧＢに対して、好適なスタンス位置を容易に取るとることができる。
【００３１】
さらに、前記ゴルフ練習用シート１０は、一枚のシート材の上面に前記方向指示線２１，２２、前記スタンス位置決め線２５、前記方向確認補助線２３及び前記前記スタンス目安線２４を印刷等して形成しても良いが、本実施例に示すように、前記方向指示線２１，２２、前記スタンス位置決め線２５、前記方向確認補助線２３及び前記前記スタンス目安線２４を、枠状に形成される帯状シート１１〜１５等の上面に印刷等して形成すると、全部を一枚のシート材で形成する場合よりも、地面への設置面積が少なく、敷設する場合に、地面の凹凸に合わせて追随し敷設することができると共に、製作する場合の材料費を軽減することができる。
【００３２】
また、前記ゴルフ練習用シート１０は、横中央線に対して線対称となるように形成されているので、左利きの前記プレイヤーＰが使用する場合にも１８０度回転させ敷設することによって、右利きの前記プレイヤーＰと同様に使用することができる。
【符号の説明】
【００３３】
１０  ゴルフ練習用シート
１１，１２  帯状シート（長尺）
１３，１４，１５  帯状シート（短尺）
１６，１７  突出辺
２１，２２  方向指示線
２３  方向確認補助線
２４  スタンス目役線
２５  スタンス位置決め線
ＧＢ  ゴルフボール
ＳＤ  打球方向
Ｘ    ゴルフボールとゴルフ練習用シートとの距離
Ｙ    ゴルフボールとスタンスとの距離
【図１】
0003203865.tif 000003
【図２】
0003203865.tif 000004
【図３】
0003203865.tif 000005
【図４】
0003203865.tif 000006
【図５】
0003203865.tif 000007
【図６】
0003203865.tif 000008